(57)【要約】【課題】基板に対する配線接続部の接着耐久性を向上させると共に、額縁幅にかかる意匠性の向上を可能とする表示装置を提供する。【解決手段】基板１１０を有し、画面に形成された複数の画素が発光されることで所定の画像を形成すると共に、四角形の対向する２辺に沿って湾曲形成された表示部１０１と、基板が表示部の外側に真直ぐに延設されることで形成された延設領域１０６と、画素に対応する電極部１１３から延設領域に延ばされた電極配線１１４および電極部を通電制御する駆動回路部１０７の駆動配線１５０を接続し、延設領域に貼付けされる接続部１４０と、表示部の外周部を覆う額縁部１０５とを備える表示装置において、延設領域は、対向する２辺の長手方向で表示部に隣接して形成されており、少なくとも一部が板厚方向に剥離された剥離部１０６１を有し、表示部の裏側に折曲げ形成されている。【選択図】図３
2018169540.tif 000002
【特許請求の範囲】
【請求項１】
基板（１１０）を有し、視認側から見た全体形状が四角形を成しており、画面に形成された複数の画素が発光されることで所定の画像を形成すると共に、前記四角形の対向する２辺が円弧を描くように湾曲形成された表示部（１０１）と、
前記基板が、前記表示部の外側に真直ぐに延設されることで形成された配線接続用の延設領域（１０６）と、
前記画素に対応するように設けられた電極部（１１３）から前記延設領域に延ばされた電極配線（１１４）と、前記電極部に対して通電制御する駆動回路部（１０７）の駆動配線（１５０）とを接続し、前記延設領域に貼付けされる接続部（１４０）と、
前記表示部の外周部を視認側から覆う枠状の額縁部（１０５）と、を備える表示装置において、
前記延設領域は、前記対向する２辺の長手方向で、前記表示部に隣接して形成されており、且つ、前記延設領域の少なくとも一部が板厚方向に剥離された剥離部（１０６１）を有し、前記延設領域が前記表示部の裏側に折曲げ形成されている表示装置。
【請求項２】
前記剥離部は、前記延設領域において前記表示部との境界ラインに沿って溝状に設けられた請求項１に記載の表示装置。
【請求項３】
前記表示部は、液晶式の表示部であり、
前記基板は、ガラス基板を含む複数の層から形成されており、
前記剥離部は、前記ガラス基板に設けられた請求項１または請求項２に記載の表示装置。
【請求項４】
前記表示部は、液晶式の表示部であり、
前記基板は、樹脂基板を含む複数の層から形成されており、
前記剥離部は、前記樹脂基板に設けられた請求項１または請求項２に記載の表示装置。
【発明の詳細な説明】
【技術分野】
【０００１】
本発明は、例えば、車両に適用して好適な表示装置に関するものである。
【背景技術】
【０００２】
従来の表示装置として、例えば、特許文献１に記載されたものが知られている。特許文献１の表示装置（ディスプレイ）は、湾曲したパネル保持板の上に設けられたパネル部（表示部）と、パネル保持板の湾曲した辺側に設けられた基板保持板の上に設けられた複数のプリント配線基板と、パネル部における画素の電極用の配線およびプリント配線基板を接続するフレキシブル配線板と、を備えている。そして、基板保持板は、パネル部の湾曲に沿って多角形状に屈曲するように形成されている。
【０００３】
これにより、各プリント配線基板の貼付けされる基板保持板は、平面状に形成されるので、各プリント配線基板を基板保持板に密着性良く貼付けることができ、剥がれなどの現象が生じにくくなっている。よって、プリント配線基板にかかる応力を低減することができ、パネル部の端部と中央部とで輝度のバラツキも生じにくくなっている。
【先行技術文献】
【特許文献】
【０００４】
【特許文献１】特開２０１３−１３４２９５号公報
【発明の概要】
【発明が解決しようとする課題】
【０００５】
しかしながら、特許文献１の表示装置においては、電極用の配線とプリント配線基板との間に設けられるフレキシブル配線板は、パネル部の湾曲した辺上に接合されているので、フレキシブル配線板と言えども、歪み力を受け接着耐久性が充分得られない恐れがある。
【０００６】
また、特許文献１の表示装置では、パネル部に対して、プリント配線基板が、湾曲辺部から外方へ突出するように配置されるので、通常、パネル部の外周に設けられる額縁の幅が大きくなってしまう。よって、全周に渡って幅狭となる額縁の形成が困難となり、意匠性が低下する。
【０００７】
本発明の目的は、上記問題に鑑み、基板（保持板）に対する配線接続部（配線板）の接着耐久性を向上させると共に、額縁幅にかかる意匠性の向上を可能とする表示装置を提供することにある。
【課題を解決するための手段】
【０００８】
本発明は上記目的を達成するために、以下の技術的手段を採用する。
【０００９】
本発明では、基板（１１０）を有し、視認側から見た全体形状が四角形を成しており、画面に形成された複数の画素が発光されることで所定の画像を形成すると共に、四角形の対向する２辺が円弧を描くように湾曲形成された表示部（１０１）と、
基板が表示部の外側に真直ぐに延設されることで形成された配線接続用の延設領域（１０６）と、
画素に対応するように設けられた電極部（１１３）から延設領域に延ばされた電極配線（１１４）と、電極部に対して通電制御する駆動回路部（１０７）の駆動配線（１５０）とを接続し、延設領域に貼付けされる接続部（１４０）と、
表示部の外周部を視認側から覆う枠状の額縁部（１０５）と、を備える表示装置において、
延設領域は、対向する２辺の長手方向で、表示部に隣接して形成されており、且つ、延設領域の少なくとも一部が板厚方向に剥離された剥離部（１０６１）を有し、延設領域が表示部の裏側に折曲げ形成されていることを特徴としている。
【００１０】
この発明によれば、表示部（１０１）の湾曲された対向する２辺の長手方向に真直ぐに延設させて、表示部（１０１）に隣接するように延設領域（１０６）を形成しているので、湾曲を伴わない延設領域（１０６）とすることができ、接続部（１４０）の安定した貼付けが可能となる。よって接続部（１４０）の接着耐久性を向上させることができる。
【００１１】
加えて、延設領域（１０６）に剥離部（１０６１）を設けて、延設領域（１０６）を表示部（１０１）の裏側に折曲げ形成しているので、視認側から見たときの延設領域（１０６）を無くすことができ、延設領域（１０６）のために額縁部（１０５）の幅寸法を広く設定する必要がなくなる。よって、全周にわたって幅寸法の小さい狭額縁とすることができ、意匠性の向上を図ることができる。
【００１２】
尚、上記各手段の括弧内の符号は、後述する実施形態記載の具体的手段との対応関係を示すものである。
【図面の簡単な説明】
【００１３】
【図１】車両に搭載された表示装置を示す外観図である。
【図２】表示装置を示す、（ａ）は正面図、（ｂ）は（ａ）の下面図である。
【図３】図２のIII−III部を示す断面図である。
【図４】折曲げ形成前の延設領域における接続領域を示す説明図である。
【図５】図４におけるＶ部を示す拡大図である。
【図６】図５のＶＩ−ＶＩ部を示す断面図である。
【図７】剥離部の形成および折曲げを示す説明図である。
【図８】第２実施形態の剥離部を示す断面図である。
【図９】第３実施形態の１の剥離部を示す断面図である。
【図１０】第３実施形態の２の剥離部を示す断面図である。
【図１１】第３実施形態の３の剥離部を示す断面図である。
【発明を実施するための形態】
【００１４】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１５】
（第１実施形態）
第１実施形態における表示装置１００を図１〜図７を用いて説明する。尚、図３においては、後述するカバーガラス１０３の表示を省略すると共に、表示部１０１の湾曲表示を省略している。
【００１６】
表示装置１００は、例えば、車両（自動車）に搭載されて、車両走行に伴う各種走行情報、車両用空調装置の各種空調情報、車両用ナビゲーション装置における各種案内情報、あるいは、車両オーディオ装置における各種映像および音楽情報等の少なくとも１つの情報を、車両乗員（視認者）に対して画像表示する装置となっている。
【００１７】
表示装置１００は、図１に示すように、例えば、車両のインストルメントパネル１０の車両幅方向のほぼ中央位置に、表示部１０１の画面が乗員側を向くように配置されている。表示部１０１の画面は、湾曲形成された画面となっており、周囲のインストルメントパネル１０の曲面に沿うように形成されて、意匠性の高いものとなっている。表示装置１００は、ここでは、液晶式の表示装置となっており、表示部１０１、バックライト１０２、カバーガラス１０３、筐体１０４、額縁部１０５、延設領域１０６、および駆動回路部１０７等を備えている。
【００１８】
表示部１０１は、図２、図３に示すように、視認側から見た全体形状が横長の四角形（長方形）を成しており、画面に形成された複数の画素が発光されることで所定の画像を形成するようになっている。また、表示部１０１は、四角形の対向する２辺、ここでは、図２中の上下の２辺が円弧を描くようにして、視認側から見て中央側がへこむように画面が湾曲形成されたものとなっている。表示部１０１は、ガラス基板１１０とガラス基板１３０とを有しており、両ガラス基板１１０、１３０の間に液晶層１２０が設けられて形成されている。以下、ガラス基板１１０のような板状部材の視認側を「表側」、視認側とは反対側を「裏側」と呼ぶことにする（図２（ｂ））。
【００１９】
ガラス基板１１０は、本発明の基板に対応するものである。ガラス基板１１０の裏側には、バックライト１０２からの光りを所定方向に偏光させる偏光板１１１が設けられている。また、ガラス基板１１０の表側には、視認側に向けて順にフレキシブル層１１２、電極部１１３（図５）、電極配線１１４、および保護層１１５等が設けられている。
【００２０】
フレキシブル層１１２は、樹脂材から形成されており、柔軟性のある薄肉の層となっている。そして、電極部１１３は、表示部１０１における複数の画素にそれぞれ対応するように、フレキシブル層１１２に複数設けられており、ガラス基板１１０、１３０間の液晶層１２０に対して、電圧をかける部材となっている。電極部１１３には、それぞれ図示しないＴＦＴ（Ｔｈｉｎ  Ｆｉｌｍ  Ｔｒａｎｓｉｓｕｔｏｒ）素子が設けられており、電極部１１３は、電極配線１１４と接続されている。電極配線１１４の先端側（電極部１１３と反対側）は、フレキシブル層１１２上で、後述する延設領域１０６に向けて延びている（図５）。保護層１１５は、電極部１１３および電極配線１１４を保護するようになっている。
【００２１】
ガラス基板１３０は、ガラス基板１１０の視認側に平行に配置されている。ガラス基板１３０の裏側には、バックライト１０２からの光（白色光）に対して色表示するカラーフィルタ１３１が設けられている。カラーフィルタ１３１は、例えば、１つの画素に対して、赤、青、緑の３色の色表示するフィルターとなっている。また、ガラス基板１３０の表側には、液晶層１２０を通過した光を所定方向に偏光させる偏光板１３２が設けられている。
【００２２】
ガラス基板１１０とガラス基板１３０との周囲には、両者の間をシールするシール１２１が設けられており、このシール１２１の内側領域に液晶層１２０が形成されている。
【００２３】
バックライト１０２は、ガラス基板１１０（偏光板１１１）の裏側に配置されて、表示部１０１（液晶層１２０）に向けて発光する部材となっている。
【００２４】
カバーガラス１０３は、横長の四角形を成して表示部１０１と同等の面積を持つ透明なガラス材であり、上記の表示部１０１と同様に湾曲形成されている。カバーガラス１０３は、表示部１０１の視認側（表側）に配置されている。表示部１０１は、カバーガラス１０３に接合されることで、湾曲形状が維持されている。
【００２５】
筐体１０４は、バックライト１０２の裏側に配置されて、表示部１０１、およびバックライト１０２を覆うように設けられている。また、額縁部１０５は、表示部１０１の外周部を視認側から覆う枠状の部材となっている。
【００２６】
延設領域１０６は、図４〜図７に示すように、表示装置１００の途中工程において、ガラス基板１１０が表示部１０１の外側に真直ぐに延設されることで形成された配線接続用の領域となっている。延設領域１０６は、表示部１０１の湾曲された２辺の長手方向で、表示部１０１に隣接するように形成されている。延設されたガラス基板１１０の表側には、上記で説明したフレキシブル層１１２、電極配線１１４、および保護層１１５が同様に設けられている。
【００２７】
延設領域１０６の所定範囲には、保護層１１５が部分的に剥離されて、電極配線１１４が露出される接続領域１１５ａが形成されている。接続領域１１５ａにおいて、導電フィルムから形成されて電極配線１１４に接続される接続部１４０が貼付けされている。
【００２８】
ここで、延設領域１０６は、少なくとも一部が板厚方向に剥離された剥離部１０６１を有している。本実施形態では、延設領域１０６の全体にわたってガラス基板１１０が、例えば、レーザリフトオフ等の加工によって剥離されることで、剥離部１０６１が形成されている。剥離部１０６１の形成前段階においては、ガラス基板１１０が延設領域１０６の最も剛性の高い部位となっており、このガラス基板１１０を剥離することで、延設領域１０６の剛性が低下されている。そして、延設領域１０６は、図４〜図７に示す途中工程の状態に対して、図３に示すように、ガラス基板１１０の裏側に折曲げされている。
【００２９】
駆動回路部１０７は、複数の電極部１１３に対して通電制御するものであり、筐体１０４の裏側に設けられている。駆動回路部１０７にはコネクタ１５１を介して駆動配線１５０が接続されている。延設領域１０６の折曲げが実施された後、駆動配線１５０のコネクタ１５１とは反対側の先端部は、接続領域１１５ａにおいて、接続部１４０に接続されている。よって、電極配線１１４は、駆動配線１５０と接続されている。
【００３０】
本実施形態の表示装置１００の構成は、以上のようになっている。以下、本実施形態の作動、および作用効果を説明する。
【００３１】
本表示装置１００においては、駆動回路部１０７によって、複数の電極部１１３に対して、通電制御が行われる。各電極部１１３から液晶層１２０に対して電圧がかけられることによって、各画素の領域における液晶分子の姿勢が変化し、複数の画素のそれぞれにおいて、バックライト１０２からの光の透過量が調整されて、カラーフィルタ１３１を通過した後の光の色がそれぞれ制御される。そして、制御すべき色に発光された複数の画素の集合体によって、表示部１０１に表示すべき画像（文字や図形等）が形成されることになる。
【００３２】
本実施形態では、表示部１０１の湾曲された対向する２辺の長手方向に真直ぐに延設させて、表示部１０１に隣接するように延設領域１０６を形成しているので、湾曲を伴わない延設領域１０６とすることができ、接続部１４０の安定した貼付けが可能となる。よって接続部１４０の接着耐久性を向上させることができる。
【００３３】
加えて、延設領域１０６に剥離部１０６１を設けて、延設領域１０６を表示部１０１の裏側に折曲げ形成しているので、視認側から見たときの延設領域１０６を無くすことができ、延設領域１０６のために額縁部１０５の幅寸法を広く設定する必要がなくなる。よって、全周にわたって幅寸法の小さい狭額縁とすることができ、意匠性の向上を図ることができる。
【００３４】
（第２実施形態）
第２実施形態を図８に示す。第２実施形態は、上記第１実施形態の剥離部１０６１に対して、剥離部１０６２としたものである。
【００３５】
剥離部１０６２は、延設領域１０６において表示部１０１との境界ラインに沿って溝状に設けられたものとなっている。つまり、剥離部１０６２は、延設領域１０６の全面ではなく、一部が剥離されたものとなっている。剥離部１０６２の断面形状は、矩形となっている。
【００３６】
本実施形態では、延設領域１０６を折曲げ加工する際の折曲げの起点となる領域のみに最小限の剥離部１０６２を設けており、剥離部１０６２を形成する際の手間を低減することができると共に、延設領域１０６の構成をできる限り維持することができる。
【００３７】
（第３実施形態の１）
第３実施形態の１を図９に示す。第３実施形態の１は、上記第２実施形態に対して、ガラス基板１１０に代えて樹脂基板１１０Ａとすると共に、剥離部１０６２を剥離部１０６３に変更している。
【００３８】
樹脂基板１１０Ａは、例えば、エポキシ樹脂から形成された基板となっており、ガラス基板１１０に比べて剛性が低いことから、液晶層１２０を形成するにあたって、ガラス基板１１０よりも板厚が大きく設定されている。そして、剥離部１０６３は、折曲げが可能となる範囲で、板厚の途中部位まで溝が設けられたものとなっている。剥離部１０６３の断面形状は、上記第２実施形態と同様に、矩形となっている。
【００３９】
これにより、ガラス基板１１０を樹脂基板１１０Ａに置き換えたものにおいても、上記第２実施形態と同様の効果を得ることができる。
【００４０】
（第３実施形態の２）
第３実施形態の２を図１０に示す。第３実施形態の２は、上記第３実施形態の１に対して、剥離部１０６３の断面形状を三角状にして、剥離部１０６４としたものである。本実施形態においても、上記第３実施形態の１と同様の効果得ることができる。
【００４１】
（第３実施形態の３）
第３実施形態の３を図１１に示す。第３実施形態の３は、上記第３実施形態の１に対して、剥離部１０６３の領域を延設領域１０６の全体にわたるように広げて、剥離部１０６５としたものである。本実施形態においても、上記第３実施形態の１と同様の効果得ることができる。
【００４２】
（その他の実施形態）
上記各実施形態では、駆動回路部１０７は、電極配線１１４（フレキシブル配線板）に対して、駆動配線１５０を介して接続されるものとしたが、例えば、電極配線１１４に接続されるものとするなど、種々の接続形態を採用することができる。
【００４３】
上記各実施形態では、表示部１０１は、液晶式の表示部として説明したが、これに限定されることなく、例えば、有機ＥＬ素子を用いた自発光式の表示部に適用してもよい。
【００４４】
また、上記各実施形態では、本表示装置１００を車両に搭載されるものとして説明したが、これに限定されることなく、住宅や店舗等に設置される表示装置に適用してもよい。
【符号の説明】
【００４５】
１００  表示装置
１０１  表示部
１０５  額縁部
１０６  延設領域
１０６１  剥離部
１０７  駆動回路部
１１０  ガラス基板（基板）
１１３  電極部
１１４  電極配線
１４０  接続部
１５０  駆動配線
【図１】
2018169540.tif 000003
【図２】
2018169540.tif 000004
【図３】
2018169540.tif 000005
【図４】
2018169540.tif 000006
【図５】
2018169540.tif 000007
【図６】
2018169540.tif 000008
【図７】
2018169540.tif 000009
【図８】
2018169540.tif 000010
【図９】
2018169540.tif 000011
【図１０】
2018169540.tif 000012
【図１１】
2018169540.tif 000013